(57)【要約】【課題】より客観性のある薬剤に関する統計情報の収集及び提供を可能とする検索サーバ及び検索システムを提供する。【解決手段】採用薬剤に関する情報を検索するための検索サーバであって、検索サーバは、複数の医療機関に配置された複数の医療機関端末とネットワークを介して接続され、複数の医療機関端末において入力された電子カルテ情報の少なくとも採用薬剤に関する情報をネットワークを介して取得し、取得した採用薬剤に関する情報を当該採用薬剤に関する情報が入力された医療機関端末が配置された医療機関の所在地が属する地域と関連付けて採用薬剤データベースを構築し、検索サーバは、事業者端末とネットワークを介して接続され、事業者端末に対し、採用薬剤データベースを参照し、地域別の採用薬剤に関する統計情報を提供可能である。【選択図】  図１
2018081529.tif 000002
【特許請求の範囲】
【請求項１】
採用薬剤に関する情報を検索するための検索サーバであって、
前記検索サーバは、複数の医療機関に配置された複数の医療機関端末とネットワークを介して接続され、前記複数の医療機関端末において入力された電子カルテ情報の少なくとも採用薬剤に関する情報を前記ネットワークを介して取得し、取得した採用薬剤に関する情報を当該採用薬剤に関する情報が入力された医療機関端末が配置された医療機関の所在地が属する地域と関連付けて採用薬剤データベースを構築し、
前記検索サーバは、事業者端末とネットワークを介して接続され、前記事業者端末に対し、前記採用薬剤データベースを参照し、地域別の採用薬剤に関する統計情報を提供可能であることを特徴とする検索サーバ。
【請求項２】
前記検索サーバは、前記複数の医療機関端末に電子カルテ画面を表示する電子カルテサーバであって、前記医療機関端末に表示される電子カルテ画面の少なくとも一部に設定されたアナウンスメント枠に前記事業者端末から提供された薬剤に関するアナウンスメント情報を表示可能な電子カルテサーバと接続され、
前記検索サーバは、前記採用薬剤に関する統計情報を前記アナウンスメント情報を提供した事業者端末に対して提供することを特徴とする請求項１に記載の検索サーバ。
【請求項３】
前記採用薬剤に関する統計情報は、当該事業者端末が提供したアナウンスメント情報に含まれる薬剤に関する統計情報を含むことを特徴とする請求項２に記載の検索サーバ。
【請求項４】
前記検索サーバは、前記複数の医療機関端末において入力された電子カルテ情報の少なくとも採用薬剤に関する情報を取得するが、当該採用薬剤が処方された患者の個人情報については取得しない又は取得しても採用薬剤データベースに登録しないことを特徴とする請求項１乃至３の何れか１項に記載の検索サーバ。
【請求項５】
前記採用薬剤に関する情報には、処方薬を選択する際に選択肢に挙げられたが採用されなかった不採用薬剤を含むことを特徴とする請求項１乃至４の何れか１項に記載の検索サーバ。
【請求項６】
前記検索サーバは、前記複数の医療機関端末において入力された採用薬剤についてのコメント又はアンケートを取得し、前記事業者端末に対し、前記採用薬剤に関する統計情報と併せて前記コメント又はアンケートを提供することを特徴とする請求項１乃至５の何れか１項に記載の検索サーバ。
【請求項７】
前記医療機関端末において前記コメント又はアンケートを入力する際に、入力者の個人情報の公開又は非公開を入力者が選択可能とされており、前記検索サーバは、入力者の個人情報の公開が選択されたコメント又はアンケートについて、前記コメント又はアンケートと併せて入力者の個人情報も提供することを特徴とする請求項６に記載の検索サーバ。
【請求項８】
事業者端末と、複数の医療機関に配置された複数の医療機関端末と、前記事業者端末及び前記医療機関端末にネットワークを介して接続された検索サーバとを有する検索システムであって、
前記複数の医療機関端末は、採用薬剤に関する情報を含む電子カルテ情報を入力可能に構成され、入力された前記採用薬剤に関する情報を前記ネットワークを介して前記検索サーバに提供し、
前記検索サーバは、取得した前記採用薬剤に関する情報を当該採用薬剤に関する情報が入力された医療機関端末が配置された医療機関の所在地が属する地域と関連付けて採用薬剤データベースを構築し、前記事業者端末に対し、前記採用薬剤データベースを参照し、地域別の採用薬剤に関する統計情報を提供可能であることを特徴とする検索システム。
【請求項９】
前記検索システムは、前記事業者端末、前記複数の医療機関端末及び前記検索サーバと接続された電子カルテサーバを有し、
前記事業者端末は、前記電子カルテサーバに対し、薬剤に関するアナウンスメント情報を提供し、
前記電子カルテサーバは、前記複数の医療機関端末に電子カルテ画面を表示し、さらに前記電子カルテ画面の少なくとも一部に設定されたアナウンスメント枠に前記事業者端末から提供された前記アナウンスメント情報を表示し、
前記検索サーバは、前記採用薬剤に関する統計情報を前記アナウンスメント情報を提供した事業者端末に対して提供することを特徴とする請求項８に記載の検索システム。
【請求項１０】
前記採用薬剤に関する統計情報は、当該事業者端末が提供したアナウンスメント情報に含まれる薬剤に関する統計情報を含むことを特徴とする請求項９に記載の検索システム。
【請求項１１】
前記検索サーバは、前記複数の医療機関端末において入力された電子カルテ情報の少なくとも採用薬剤に関する情報を取得するが、当該採用薬剤が処方された患者の個人情報については取得しない又は取得しても採用薬剤データベースに登録しないことを特徴とする請求項８乃至１０の何れか１項に記載の検索システム。
【請求項１２】
前記採用薬剤に関する情報には、処方薬を選択する際に選択肢に挙げられたが採用されなかった不採用薬剤を含むことを特徴とする請求項８乃至１１の何れか１項に記載の検索システム。
【請求項１３】
前記複数の医療機関端末は、採用薬剤についてのコメント又はアンケートを入力可能に構成され、入力された前記コメント又はアンケートを前記ネットワークを介して前記検索サーバに提供し、
前記検索サーバは、前記事業者端末に対し、前記採用薬剤に関する統計情報と併せて取得した前記コメント又はアンケートを提供することを特徴とする請求項８乃至１２の何れか１項に記載の検索システム。
【請求項１４】
前記医療機関端末は、入力者が、前記コメント又はアンケートを入力する際に、入力者の個人情報の公開又は非公開を選択可能に構成され、
前記検索サーバは、入力者の個人情報の公開が選択されたコメント又はアンケートについて、前記コメント又はアンケートと併せて入力者の個人情報も提供することを特徴とする請求項１３に記載の検索システム。
【請求項１５】
採用薬剤に関する情報を検索するための検索サーバであって、
前記検索サーバは、複数の医療機関に配置された複数の医療機関端末とネットワークを介して接続され、前記複数の医療機関端末において選択可能に表示された薬剤候補から処方薬として選択された採用薬剤に関する情報を前記ネットワークを介して取得し、取得した採用薬剤に関する情報を前記薬剤候補の採用薬剤以外の不採用薬剤と関連付けて採用薬剤データベースを構築し、
前記検索サーバは、事業者端末とネットワークを介して接続され、前記事業者端末に対し、前記採用薬剤データベースを参照し、前記採用薬剤及び前記不採用薬剤に関する統計情報を提供可能であることを特徴とする検索サーバ。
【請求項１６】
前記採用薬剤に関する統計情報は、ある薬剤についての採用率（採用された回数／（採用された回数＋不採用の回数））又はある薬剤が対応付けられた病状の種類又は回数であることを特徴とする請求項１５に記載の検索サーバ。
【発明の詳細な説明】
【技術分野】
【０００１】
本発明は、医療機関において診療の経過を記録するカルテを電子的に記録、管理する電子カルテシステムを利用して、情報を集積し、薬剤の採用に関する統計的な情報を事業者に対し提供する検索サーバ及び検索システムに関する。
【背景技術】
【０００２】
製薬会社の営業部門に所属する医薬情報担当者（通称ＭＲ：Ｍｅｄｉｃａｌ  Ｒｅｐｒｅｓｅｎｔａｔｉｖｅｓ）は、医療機関を訪問し、医療従事者（医師、歯科医師、薬剤師、看護師、クラーク、技師など）に新薬を含め未だ採用されていない自社の薬剤の情報を提供し、また、実際に使用された医薬品の採用実績、効果、副作用などの情報を収集し、自社の研究開発にフィードバックしている。このように、ＭＲは、自社薬剤の適正な使用と普及を図ると共に、実際に使用された自社薬剤の評判や実効性について生の情報を入手でき、さらには自社薬剤だけではなく競合する薬剤に関する情報収集やシェアを把握するという極めて重要な役割があった。
【０００３】
ところで、電子カルテシステムの関連システムとして、医療機関で医師が処方した処方薬の情報を管理する技術が提案されている（例えば、特許文献１参照）。特許文献１に記載の処方薬管理システムでは、レセプト（診療報酬明細書）や電子カルテなどに記載された診察結果を収集して診察結果データベースを構成したので、検索対象の病名に対して他の機関などの処方の情報を取得できる、とされている。具体的には、検索対象の病名のヒット数、かかる病名に対して処方された処方薬のヒット数、処方薬毎のヒット数と占有割合などが特定され、かかる検索結果を処方薬検索画面に表示される。これにより、医師は、他の機関がどのような処方を行っているかを参考にできる。
【０００４】
さらに、特許文献１に記載の処方薬管理システムでは、製薬会社などの広告主が病名に対応する商品情報を表示することができ、医師が病名で検索すると、検索結果を統計的に表示するとともに、病名の検索結果のリストの近辺に対応する広告情報を表示できることが記載されている。これにより、製薬会社などは、医師が検索した病名に対して、広告情報を医師に提供することができる。
【先行技術文献】
【特許文献】
【０００５】
【特許文献１】特開２０１０−１２８７１８号公報
【発明の概要】
【発明が解決しようとする課題】
【０００６】
しかしながら、特許文献１の薬剤の広告情報を医師に提供する処方薬管理システムは、薬剤の情報を提供するという点でＭＲの役割の一部を代替する機能を備えているが、情報収集という観点においては機能していなかった。また、特許文献１に記載の処方薬管理システムでは、費用を投じて薬剤の広告宣伝を行っても、製薬会社は薬剤が処方薬として実際に採用されたか否か直接的に確認することができないので、薬剤の広告の費用対効果を把握することも難しかった。
【０００７】
さらに、ＭＲによる情報収集は、医療機関における担当者からの個人的な情報であり、担当者の主観に左右され、複数の医療機関の担当者から収集しても、各担当者によって評価が異なり、客観的且つ具体的な情報を得ることはできなかった。例えば、自社の薬剤がどれだけ採用されているかシェアを把握しようとしても、薬剤に対応する病状の患者の数は不明であり、自社の薬剤がどれだけの割合で処方されたのかも担当者からの漠然とした感覚的な意見が得られるだけであった。また、ＭＲによる情報収集は、ＭＲの資質や人脈によっても大きく作用され、一人のＭＲが担当できる範囲も限られており、複数のＭＲによる情報収集では、そもそも得られる情報自体が担当者の主観に左右されるが、さらに情報を受け取るＭＲ側でも個人差や主観が生じ、情報の正確性、客観性を担保出来なかった。製薬会社等は、薬剤の販売数量などから概算のシェアは把握できるが、自社の薬剤が、具体的に該当する病状の患者に対して、他の競合薬剤との関係でどれだけのシェアを有しているのかは把握できなかったし、その他、実際の医療機関における具体的な情報を得ることは難しかった。
【０００８】
本発明は、上記問題を鑑みて、より客観性のある薬剤に関する統計情報の収集及び提供を可能とする検索サーバ及び検索システムを提供することを目的とする。
【課題を解決するための手段】
【０００９】
前述した課題を解決するため、本発明の検索サーバは、採用薬剤に関する情報を検索するための検索サーバであって、前記検索サーバは、複数の医療機関に配置された複数の医療機関端末とネットワークを介して接続され、前記複数の医療機関端末において入力された電子カルテ情報の少なくとも採用薬剤に関する情報を前記ネットワークを介して取得し、取得した採用薬剤に関する情報を当該採用薬剤に関する情報が入力された医療機関端末が配置された医療機関の所在地が属する地域と関連付けて採用薬剤データベースを構築し、前記検索サーバは、事業者端末とネットワークを介して接続され、前記事業者端末に対し、前記採用薬剤データベースを参照し、地域別の採用薬剤に関する統計情報を提供可能であることを特徴とする。
【００１０】
また、上記検索サーバにおいて、前記複数の医療機関端末に電子カルテ画面を表示する電子カルテサーバであって、前記医療機関端末に表示される電子カルテ画面の少なくとも一部に設定されたアナウンスメント枠に前記事業者端末から提供された薬剤に関するアナウンスメント情報を表示可能な電子カルテサーバと接続され、前記検索サーバは、前記採用薬剤に関する統計情報を前記アナウンスメント情報を提供した事業者端末に対して提供してもよい。さらに、前記採用薬剤に関する統計情報は、当該事業者端末が提供したアナウンスメント情報に含まれる薬剤に関する統計情報を含むことが好ましい。
【００１１】
また、上記検索サーバにおいて、前記複数の医療機関端末において入力された電子カルテ情報の少なくとも採用薬剤に関する情報を取得するが、当該採用薬剤が処方された患者の個人情報については取得しない又は取得しても採用薬剤データベースに登録しないことが好ましい。
【００１２】
また、上記検索サーバにおいて、前記採用薬剤に関する情報には、処方薬を選択する際に選択肢に挙げられたが採用されなかった不採用薬剤を含んでもよい。  
【００１３】
また、上記検索サーバにおいて、前記検索サーバは、前記複数の医療機関端末において入力された採用薬剤についてのコメント又はアンケートを取得し、前記事業者端末に対し、前記採用薬剤に関する統計情報と併せて前記コメント又はアンケートを提供してもよい。さらに、前記医療機関端末において前記コメント又はアンケートを入力する際に、入力者の個人情報の公開又は非公開を入力者が選択可能とされており、前記検索サーバは、入力者の個人情報の公開が選択されたコメント又はアンケートについて、前記コメント又はアンケートと併せて入力者の個人情報も提供してもよい。
【００１４】
本発明の検索システムは、事業者端末と、複数の医療機関に配置された複数の医療機関端末と、前記事業者端末及び前記医療機関端末にネットワークを介して接続された検索サーバとを有する検索システムであって、前記複数の医療機関端末は、採用薬剤に関する情報を含む電子カルテ情報を入力可能に構成され、入力された前記採用薬剤に関する情報を前記ネットワークを介して前記検索サーバに提供し、前記検索サーバは、取得した前記採用薬剤に関する情報を当該採用薬剤に関する情報が入力された医療機関端末が配置された医療機関の所在地が属する地域と関連付けて採用薬剤データベースを構築し、前記事業者端末に対し、前記採用薬剤データベースを参照し、地域別の採用薬剤に関する統計情報を提供可能であることを特徴とする。
【００１５】
また、上記検索システムにおいて、前記事業者端末、前記複数の医療機関端末及び前記検索サーバと接続された電子カルテサーバを有し、前記事業者端末は、前記電子カルテサーバに対し、薬剤に関するアナウンスメント情報を提供し、前記電子カルテサーバは、前記複数の医療機関端末に電子カルテ画面を表示し、さらに前記電子カルテ画面の少なくとも一部に設定されたアナウンスメント枠に前記事業者端末から提供された前記アナウンスメント情報を表示し、前記検索サーバは、前記採用薬剤に関する統計情報を前記アナウンスメント情報を提供した事業者端末に対して提供することが好ましい。さらに、前記採用薬剤に関する統計情報は、当該事業者端末が提供したアナウンスメント情報に含まれる薬剤に関する統計情報を含むことが好ましい。
【００１６】
また、上記検索システムにおいて、前記検索サーバは、前記複数の医療機関端末において入力された電子カルテ情報の少なくとも採用薬剤に関する情報を取得するが、当該採用薬剤が処方された患者の個人情報については取得しない又は取得しても採用薬剤データベースに登録しないことが好ましい。
【００１７】
また、上記検索システムにおいて、前記採用薬剤に関する情報には、処方薬を選択する際に選択肢に挙げられたが採用されなかった不採用薬剤を含んでもよい。
【００１８】
また、上記検索システムにおいて、前記複数の医療機関端末は、採用薬剤についてのコメント又はアンケートを入力可能に構成され、入力された前記コメント又はアンケートを前記ネットワークを介して前記検索サーバに提供し、前記検索サーバは、前記事業者端末に対し、前記採用薬剤に関する統計情報と併せて取得した前記コメント又はアンケートを提供してもよい。さらに、前記医療機関端末は、入力者が、前記コメント又はアンケートを入力する際に、入力者の個人情報の公開又は非公開を選択可能に構成され、前記検索サーバは、入力者の個人情報の公開が選択されたコメント又はアンケートについて、前記コメント又はアンケートと併せて入力者の個人情報も提供してもよい。
【００１９】
他の本発明の検索サーバは、採用薬剤に関する情報を検索するための検索サーバであって、前記検索サーバは、複数の医療機関に配置された複数の医療機関端末とネットワークを介して接続され、前記複数の医療機関端末において選択可能に表示された薬剤候補から処方薬として選択された採用薬剤に関する情報を前記ネットワークを介して取得し、取得した採用薬剤に関する情報を前記薬剤候補の採用薬剤以外の不採用薬剤と関連付けて採用薬剤データベースを構築し、前記検索サーバは、事業者端末とネットワークを介して接続され、前記事業者端末に対し、前記採用薬剤データベースを参照し、前記採用薬剤及び前記不採用薬剤に関する統計情報を提供可能であることを特徴とする。
【００２０】
また、上記検索サーバにおいて、前記採用薬剤に関する統計情報は、ある薬剤についての採用率（採用された回数／（採用された回数＋不採用の回数））又はある薬剤が対応付けられた病状の種類又は回数であってもよい。
【発明の効果】
【００２１】
本発明によれば、複数の医療機関に配置された複数の医療機関端末から取得した採用薬剤に関する情報を医療機関端末が配置された医療機関の所在地の属する地域と関連付けて採用薬剤データベースを構築することにより、地域別の採用薬剤に関する統計情報を提供できる検索サーバ及び検索システムを得ることができる。採用薬剤に関する統計情報は、実際に処方として採用された薬剤の数量に基づいており、従来よりも客観的且つ正確な情報を得ることができる。さらに、地域別に採用薬剤に関する統計情報が得られることから、事業者が今後注力すべき地域が明らかとなるとともに、地域ごとの採用傾向などの特色を把握することも可能であり、今後の研究開発及びシェアの獲得にフィードバックすることができる。また、本発明の一つによれば、薬剤候補から処方薬として選択された採用薬剤に関する情報を薬剤候補の採用薬剤以外の不採用薬剤と関連付けて採用薬剤データベースを構築することにより、採用薬剤及び不採用薬剤に関する統計情報を提供できる検索サーバ及び検索システムを得ることができる。
【図面の簡単な説明】
【００２２】
【図１】本発明の検索システムの全体構成の一例を示す概略図
【図２】医療機関情報テーブルの一例を示す図
【図３】病状薬剤情報テーブルの一例を示す図
【図４】処方オーダー情報テーブルの一例を示す図
【図５】アナウンスメント情報テーブルの一例を示す図
【図６】採用薬剤データベースの一例を示す図
【図７】処方オーダー登録、採用薬剤データベース登録処理の一例を示すフローチャート
【図８】処方オーダー入力画面の一例を示す図
【図９】統計情報検索処理の一例を示すフローチャート
【図１０】統計情報検索画面の一例を示す図
【図１１】アナウンスメント情報登録処理の一例を示すフローチャート
【図１２】検索条件等を制限した検索処理の一例を示すフローチャート
【図１３】コメント・アンケート入力処理の一例を示すフローチャート
【発明を実施するための形態】
【００２３】
［本発明の概要］
図１は、本発明の検索システム１の全体構成の一例を示す概略図である。本発明の検索システム１は、医療機関において診療の経過を記録するカルテを電子的に記録、管理する電子カルテシステムを利用して、情報を集積し、薬剤の採用に関する統計的な情報を事業者に対し提供可能なものであり、電子カルテシステムと協働できることが好ましく、検索システム１が電子カルテシステムの一部であっても、検索システム１に電子カルテシステムの一部又は全部に含んでいてもよい。
【００２４】
図１に示す検索システム１は、電子カルテ情報、レセプト作成情報などを作成及び管理するための電子カルテサーバ２と、アナウンスメント枠及びアナウンスメント情報などを管理するためのアナウンスメント枠管理サーバ３と、薬剤の採用に関する統計的な情報を作成及び管理するための検索サーバ４とを備え、さらに複数の医療機関５Ａ〜５Ｃに配置された複数の医療機関端末６Ａ〜６Ｃと、検索システム１の利用を希望する事業者が操作する事業者端末７とを備える。必要に応じて、電子カルテシステムの利用料、アナウンスメント枠の販売費用、検索システム１の利用料などについての決済を管理する会計サーバ（図示せず）、各サーバを管理するための管理端末８などを含んでいてもよい。各サーバ及び各端末は、ネットワーク９を介して、相互に接続される。医療従事者とは、医療機関において医療に従事するものであり、例えば、医師、歯科医師、薬剤師、看護師、クラーク、技師などを含む。また、事業者とは、薬剤を製造する製薬会社、薬剤を販売する販売代理店、広告代理店などを含む。
【００２５】
電子カルテサーバ２は、患者毎の電子カルテ情報などを管理する装置であり、医療機関５Ａ〜５Ｃ等に配置された医療機関端末６Ａ〜６Ｃに、電子カルテ画面１０を表示し、医師による電子カルテ情報の入力を支援することができ、アナウンスメント枠管理サーバ３と協働して電子カルテ画面１０内のアナウンスメント枠１４にアナウンスメント情報を表示する。さらに、電子カルテサーバ２は、電子カルテ情報の一部である処方オーダーを管理する機能、医師により特定の病状（病名、症状、容態を含む）が選択されると、病状に対応した薬剤一覧を表示する機能を有し、医療機関等に配置された医療機関端末６に、処方オーダー入力画面１１（図８参照）を表示し、医師による処方オーダーの入力を支援することができる。処方オーダーとは、電子カルテ情報の一部であり、患者の診察において、医師が診断した病状と、かかる病状に対して処方される処方薬と、かかる処方薬の用法用量を含む情報であり、処方箋などを作成するための基礎となるものである。処方オーダーとして採用された処方薬が「採用薬剤」であり、採用薬剤に関する情報として、処方オーダーの全部又は一部を使用することができる。また、電子カルテサーバ２は、医療機関端末６に薬剤についてのコメント又はアンケート入力画面を表示し、入力されたコメント又はアンケート結果を薬剤と関連付けて検索サーバ４の記憶手段４５に記憶する（図１３参照）。
【００２６】
電子カルテサーバ２は、例えば、各種のサーバ、パーソナルコンピュータ、メインフレーム等の計算機又はこれらの組み合わせによって構成することができる。電子カルテサーバ２は、プロセッサ及びメモリなどによって構成される制御手段２０、ハードディスク装置などによって構成される記憶手段２５、ネットワーク９に接続するためのネットワークインターフェイス（図示省略）を必要に応じて備える。
【００２７】
制御手段２０は、プロセッサなどによって記憶手段２５に格納された各種プログラムをメモリに格納し、メモリに格納された各種プログラムを読み出して実行し、ハードウェアとプログラムとを協働させ、電子カルテ画面を表示する処理、電子カルテ情報を登録する処理、処方オーダーを登録する処理（図７参照）などを実行する電子カルテ情報処理手段２２を含む。また、制御手段２０は、利用者（医療従事者）を認証する機能、外部システム（例えば、レセプト処理システムなど）と連携する機能、外部システムに構成された標準病状マスタ、処方オーダーマスタなどを参照する機能などを実現してもよい。
【００２８】
記憶手段２５は、医療機関端末６Ａ〜６Ｃが配置された医療機関５Ａ〜５Ｃの情報を管理する医療機関情報テーブル２６（図２参照）、特定の病状に対応付けられた薬剤の情報を管理するめの病状薬剤情報テーブル２７（図３参照）、処方オーダーを管理するための処方オーダー情報テーブル２８（図４参照）を格納し、そのほか、図示しない利用者である医療従事者の情報を管理する利用者情報テーブル、医療機関端末の情報を管理する端末情報テーブル、患者毎の電子カルテ情報を管理するための電子カルテ情報テーブル、レセプト情報を管理するためのレセプト情報テーブルなどを格納してもよい。なお、電子カルテ情報は、通常、医療機関単位で独立して構成される。
【００２９】
アナウンスメント枠管理サーバ３は、アナウンスメント枠及びアナウンスメント情報などを管理する装置であり、例えば、各種のサーバ、パーソナルコンピュータ、メインフレーム等の計算機又はこれらの組み合わせによって構成することができる。アナウンスメント枠管理サーバ３は、プロセッサ及びメモリなどによって構成される制御手段３０、ハードディスク装置などによって構成される記憶手段３５、ネットワーク９に接続するためのネットワークインターフェイス（図示省略）を必要に応じて備える。
【００３０】
制御手段３０は、プロセッサなどによって記憶手段３５に格納された各種プログラムをメモリに格納し、メモリに格納された各種プログラムを読み出して実行し、ハードウェアとプログラムとを協働させ、アナウンスメント情報を登録する処理（図１１参照）、アナウンスメント情報を表示する処理などを実行するアナウンスメント枠情報処理手段３２を含む。また、制御手段３０は、利用者（事業者）を認証する機能、外部システム（例えば、製薬会社の業務システムなど）と連携する機能などを実現してもよい。
【００３１】
記憶手段３５は、アナウンスメント情報を管理するためのアナウンスメント情報テーブル３６（図５参照）などを格納し、そのほか、利用者（事業者）がアナウンスメント枠管理サーバ３に接続するための認証情報などを格納してもよい。
【００３２】
検索サーバ４は、各医療機関において処方オーダーとして採用された薬剤（採用薬剤）に関する情報を取得し、取得した採用薬剤に関する情報を当該採用薬剤に関する情報が入力された医療機関端末が配置された医療機関の所在地の属する地域（所在地行）と関連付けて採用薬剤データベース４６を構築し、検索条件に合わせて採用薬剤データベース４６を検索する装置であり、例えば、各種のサーバ、パーソナルコンピュータ、メインフレーム等の計算機又はこれらの組み合わせによって構成することができる。検索サーバ４は、プロセッサ及びメモリなどによって構成される制御手段４０、ハードディスク装置などによって構成される記憶手段４５、ネットワーク９に接続するためのネットワークインターフェイス（図示省略）を必要に応じて備える。
【００３３】
検索サーバ４は、採用薬剤に関する情報を少なくとも医療機関端末６Ａ〜６Ｃから取得し、採用薬剤データベースを構築し、事業者端末７に対し、統計情報検索画面１５（図１０参照）を表示し、入力された検索条件に応じた統計情報を算出し、提供する。さらに、アナウンスメント情報を提供した事業者に対し、統計情報を提供する。採用薬剤に関する情報は、医療機関５Ａ〜５Ｃにおいて、医師が患者に対して診断した結果の一部であり、医療機関端末６Ａ〜６Ｃの電子カルテ画面に入力される情報である。検索サーバ４は、採用薬剤に関する情報の全部又は一部を医療機関端末６Ａ〜６Ｃから直接取得してもよいし、医療機関端末６Ａ〜６Ｃから電子カルテサーバ２を介して取得してもよい。薬剤を採用した医療機関の所在地域については、電子カルテサーバ２の医療機関情報テーブル２６から取得できるが、医療機関端末６Ａ〜６Ｃから採用薬剤に関する情報と併せて検索サーバ４に送信してもよい。採用薬剤に関する情報には、処方オーダー情報テーブル２８のうち、少なくとも採用薬剤２８５が含まれ、さらに処方オーダー情報テーブル２８の病状２８４及び用法用量２８６も含まれることが好ましい。また、採用薬剤に関する情報には、処方薬を選択する際に選択肢に挙げられたが採用されなかった薬剤名（不採用薬剤）を含んでいてもよく、これは例えば、病状薬剤情報テーブル２７の対象病状２７１に対応付けられた薬剤２７３から取得できる。
【００３４】
制御手段４０は、プロセッサなどによって記憶手段４５に格納された各種プログラムをメモリに格納し、メモリに格納された各種プログラムを読み出して実行し、ハードウェアとプログラムとを協働させ、後述する採用薬剤データベースを登録する処理（図７参照）及び採用薬剤データベースを検索し採用薬剤に関する統計情報を算出し提供する処理（図９、図１２参照）、コメント・アンケート結果を事業者端末に提供する処理などを実行する統計情報処理手段４２を含む。また、制御手段４０は、利用者（事業者）を認証する機能、外部システム（例えば、製薬会社の業務システムなど）と連携する機能などを実現してもよい。
【００３５】
記憶手段４５は、採用薬剤に関する情報と、その採用薬剤が採用された医療機関端末が配置された医療機関の所在地域と関連付けて構築された採用薬剤データベース４６（図６参照）などを格納し、そのほか、利用者（事業者）が検索サーバ４に接続するための認証情報、統計情報を算出するための計算式、算出された統計情報テーブル、コメント・アンケート結果テーブルなどを格納してもよい。
【００３６】
複数の医療機関５Ａ〜５Ｃは、医療を提供する施設であり、例えば、医院、病院、診療所、クリニックなどである。本発明においては、地域別の統計情報を得るため、医療機関５Ａ〜５Ｃの少なくとも一つは、他と異なる所在地域に属しており、ネットワーク９を介して電子カルテサーバ２及び検索サーバ４と接続していることが好ましい。医療機関の所在地域は、具体的な所在地（住所）で関連付けてもよいし、所在地が属する広域な市町村単位でもよいし、さらに広域な都道府県単位でもよいし、さらに広域な八地方区分（北海道・東北・関東・中部・近畿・中国・四国・九州）単位であってもよい。なお、検索サーバ４とは直接接続されていなくても、電子カルテサーバ２を介して接続されていてもよい。
【００３７】
医療機関端末６Ａ〜６Ｃは、医療従事者が操作する装置であり、パーソナルコンピュータ、タブレット端末、ＰＤＡ（Ｐｅｒｓｏｎａｌ  Ｄｉｇｉｔａｌ  Ａｓｓｉｓｔａｎｔ）、多機能携帯電話（スマートフォン、ｉ−ｐｈｏｎｅ（登録商標））などを採用することができる。医療機関端末６Ａ〜６Ｃは、記憶手段、制御手段及びネットワークインターフェイスを備え、少なくとも、ネットワーク９に接続する機能、電子カルテサーバ２から提供される電子カルテ情報を入力、表示するための電子カルテ画面１０を表示する機能、及び各種情報を入力する機能を有していればよい。医療機関端末６Ａ〜６Ｃは、医療機関に設置されてもよいし、医療従事者が所持してもよい。また、一つの医療機関内に複数の医療機関端末６Ａ〜６Ｃを配置してもよい。
【００３８】
電子カルテ画面１０は、医師による患者の診察の過程で医師が電子カルテ情報を入力するために医療機関端末６に表示される各種の画面の集まりであり、例えば、医師による処方オーダーの決定を支援するための処方オーダー入力画面１１（図８参照）、受付画面（新規患者の登録、外来患者の受付、患者情報の確認、カルテ起動、処理システム起動、会計待ち、会計済み患者の管理を行う画面）１２、特定の診療科（例えば、小児科）における診察時に提供される特定診療科診察支援画面１３などを含む。また、電子カルテ画面１０の少なくとも一部（図１では処方オーダー入力画面１１の一部）にアナウンスメント枠１４を設け、事業者が事業者端末７などを介して登録したアナウンスメント情報を表示できるようにしてもよい。なお、これらの処方オーダー入力画面１１、受付画面１２、特定診療科診察支援画面１３、などは、電子カルテ画面１０を構成する画面の一例であり、電子カルテ画面１０は、電子カルテシステムの構成に応じて、例示の各画面のほかに、各種の画面を構成することができる。
【００３９】
アナウンスメント枠１４は、各種の電子カルテ画面１０の少なくとも一部の画面に設けられており、アナウンスメント情報を表示するための画面内に設けられた所定の領域（画面の一部でも全部でもよい）である。アナウンスメント枠１４は、電子カルテシステムにログインした者の属性、表示する医療機関端末６の属性又は電子カルテ画面１０の種類などについて独立して設けられており、それらの属性や種類に応じてアナウンスメント枠１４に表示されるアナウンスメント情報を変更可能とされることが好ましい。アナウンスメント枠１４は、複数のアナウンスメント情報を表示できるように構成してもよいし、一つのアナウンスメント情報だけしか表示できないように構成してもよい。
【００４０】
アナウンスメント情報は、アナウンスメント枠１４に表示される情報を含み、例えば、薬剤の名称、効果効能、従来品との相違点、製薬会社などを含む。アナウンスメント情報は、アナウンスメント情報テーブル３６で管理されており、アナウンスメント情報の対象となる薬剤に関する統計情報を当該アナウンスメント情報を提供した事業者に対し提供できるようにしてもよい。
【００４１】
事業者端末７は、事業者が操作する装置であり、管理端末８及び医療機関端末６と同様に各種の構成を採用することができる。事業者端末７は、少なくともネットワーク９を介してアナウンスメント枠管理サーバ及び検索サーバと接続する機能、アナウンスメント情報を入力する機能、統計情報検索画面１５（図１０参照）を表示する機能を有していればよい。
【００４２】
管理端末８は、検索システム１を管理する管理者が操作する装置であり、例えば、パーソナルコンピュータ等を採用することができ、管理ＧＵＩプログラムなどを有する。管理端末８は、システムの管理者に対し、サーバの構成、各種プログラム、各種情報を設定及び変更するためのインターフェースを提供する。
【００４３】
ネットワーク９は、特に限定されるものではなく、例えば、公衆電話網、ＩＳＤＮ（Ｉｎｔｅｇｒａｔｅｄ  Ｓｅｒｖｉｃｅ  Ｄｉｇｉｔａｌ  Ｎｅｔｗｏｒｋの略。デジタル総合サービス網とも呼ばれる。）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＣＡＴＶ（Ｃｏｍｍｕｎｉｔｙ  Ａｎｔｅｎｎａ  ＴｅｌｅＶｉｓｉｏｎ）網、光ファイバー網、無線ＬＡＮ（Ｌｏｃａｌ  Ａｒｅａ  Ｎｅｔｗｏｒｋ）、ＣＳ（Ｃｏｍｍｕｎｉｃａｔｉｏｎ  Ｓａｔｅｌｌｉｔｅ）放送、移動電話網などを利用することができる。
【００４４】
会計サーバは、電子カルテサーバ２、アナウンスメント枠管理サーバ３及び検索サーバ４などと連携して、システムの利用者との会計上の処理を実行するものであり、例えば、各種のサーバ、パーソナルコンピュータ、メインフレーム等の計算機又はこれらの組み合わせによって構成することができ、適宜の会計処理プログラムを含む。
【００４５】
なお、図１に示した検索システム１の構成は単なる例示であり、これに限定されない。図１では、説明のため、電子カルテサーバ２、アナウンスメント枠管理サーバ３及び検索サーバ４が例示されているが、各サーバが提供するサービスを例えば一つのサーバで実現してもよいし、一部のサービスを図示されていない他の外部サーバが実現してもよい。また、図１では、電子カルテサーバ２の制御手段２０において電子カルテ情報処理手段２２が構成され、アナウンスメント枠管理サーバ３の制御手段３０においてアナウンスメント枠情報処理手段３２が構成され、検索サーバ４の制御手段４０において統計情報処理手段４２が構成されているが、電子カルテ情報処理手段２２、アナウンスメント枠情報処理手段３２又は統計情報処理手段４２は、電子カルテサーバ２、アナウンスメント枠管理サーバ３及び検索サーバ４との連携により実現するように構成されてもよいし、電子カルテ情報処理手段２２、アナウンスメント枠情報処理手段３２又は統計情報処理手段４２が実行する一部の処理を各端末６〜８の制御手段において実行してもよい。
【００４６】
図２は、電子カルテサーバ２の記憶手段２５に格納される医療機関情報テーブル２６の一例を示す図である。医療機関情報テーブル２６は、電子カルテシステム１を利用する医療機関５Ａ〜５Ｃの認証情報や属性情報などを管理しており、電子カルテサーバ２が、医療機関端末６Ａ〜６Ｃと接続した時、電子カルテ情報を登録した時、又は採用薬剤に関する情報を取得した時に、医療機関５Ａ〜５Ｃを特定でき、その所在地の地域を特定できるように構成されている。医療機関情報テーブル２６は、例えば、医療機関ＩＤ２６１、名称２６２、住所２６３、地域２６４、ライセンス数２６５などを含む。なお、図示しないが医療機関情報テーブル２６には、各医療機関端末６Ａ〜６Ｃにおいて利用者がログイン時に入力するパスワード等も格納されてもよい。なお、医療機関情報テーブル２６の代りに、又は加えて、電子カルテシステム１に接続した医療機関端末を特定するための端末情報テーブルや、電子カルテシステム１に接続した利用者を特定するための利用者情報テーブルを備えていてもよい。端末情報テーブルや利用者情報テーブルにおいて、医療機関端末が配置された医療機関の所在地域や利用者が所属する医療機関の所在地域と関連付けておくことにより、採用薬剤に関する情報が入力された医療機関端末が配置された医療機関の所在地域と対応付けることができる。
【００４７】
医療機関ＩＤ２６１は、電子カルテシステムを利用する医療機関を一意に特定する識別情報であり、例えば認証情報としてログイン時に利用者に入力させてもよい。名称２６２には医療機関の名称が格納される。住所２６３には、当該医療機関の所在地が格納される。地域２６４には、当該医療機関の所在地が属する地域が格納され、図２では八地方区分（北海道・東北・関東・中部・近畿・中国・四国・九州）単位とされているが、市町村単位でも都道府県単位でもよい。なお、所在地域として所在地（住所）とする場合には、地域２６４の項目は不要となり、住所２６３が所在地域となる。ライセンス数２６５は、当該医療機関に与えられたライセンス数であり、例えば、医療機関端末の数やダウンロードしたソフトウェアの数などが格納され、電子カルテシステム利用料の算出に使用されてもよい。
【００４８】
図３は、病状薬剤情報テーブル２７の構成の一例を示す図である。病状薬剤情報テーブル２７は、病状と薬剤との対応、病状と診療科との対応などを関連付けた情報であり、対象病状２７１、診療科２７２、薬剤２７３などを含む。対象病状２７１には、処方オーダーに登録可能な病状又はかかる病状を一意に特定する識別情報が格納される。病状の識別情報を介して、他のデータベースに構成された標準病状マスタから該当する病状を参照してもよい。診療科２７２は、対象の病状と関連の高い診療科の名称又はかかる診療科の識別情報が格納される。薬剤２７３には、病状に対応付けられた複数の薬剤の名称又はかかる薬剤の識別情報が格納される。薬剤の識別情報を介して、他のデータベースに構成された薬剤マスタから該当する薬剤を参照してもよい。薬剤２７３は、薬剤毎に、薬剤の形態（例えば、粉、錠剤、シロップなど）、薬剤量の単位（包、錠、ｍｇ、ｍｌなど）、用法用量などを規定した別のテーブルに関連付けられてもよい。また、病状薬剤情報テーブル２７は、各医療機関５Ａ〜５Ｃにおいてカスタマイズされてもよく、ある医療機関に固有の病状や、病状に対応する薬剤を登録可能にしてもよい。
【００４９】
図４は、処方オーダー情報テーブル２８の一例を示す図である。処方オーダー情報テーブル２８は、医師によって登録された処方オーダーを管理する情報であり、例えば、図８に示す処方オーダー入力画面１３を介して、医師により入力された処方オーダーが登録される。処方オーダー情報テーブル２８は、患者２８１、診療科２８２、日付２８３、病状２８４、採用薬剤２８５、用法用量２８６などを含む。患者２８１には、患者の名称又は識別情報が登録される。診療科２８２には、患者の診察が行われた診療科の名称又は識別情報が登録される。日付２８３には、患者の診察が行われた日付の情報が登録される。病状２８４には、医師による患者の診察において、患者の各種症状から診断された病気の種類（病名）、症状、容態等が登録される。採用薬剤２８５には、医師により選択された処方薬の名称又はかかる薬剤の識別情報が登録される。用法用量２８６には、対象の処方薬の用法用量に係る情報が登録される。
【００５０】
図５は、アナウンスメント枠管理サーバ３の記憶手段３５に格納されるアナウンスメント情報テーブル３６の一例を示す図である。アナウンスメント情報テーブル３６は、医療機関端末６の電子カルテ画面１０のアナウンスメント枠１４に表示する薬剤のアナウンスメント情報を管理するための情報であり、アナウンスメントＩＤ３６１、薬剤３６２、表示内容３６３、病状３６４、期間３６５、事業者ＩＤ３６６などを含む。アナウンスメントＩＤ３６１は、事業者からのアナウンスメント情報を一意に特定する識別情報である。薬剤３６２には、情報提供の対象となる薬剤の名称又はかかる薬剤の識別情報が格納される。表示内容３６３は、アナウンスメント枠に表示されるアナウンスメント情報（例えば、効果効能、適応症、ＰＲ、従来品との相違点、製薬会社、承認時期、販売開始時期など）が格納される。病状３６４は、その薬剤に対応する病状が格納される。対応する病状は一つに限られるものではなく、複数の病状が対応する場合には複数の病状が格納される。電子カルテ画面において、対応する病状が選択された薬剤のアナウンスメント情報をアナウンスメント枠に表示することが好ましい。期間３６５は、アナウンスメント情報が表示される表示期間を規定したものである。事業者ＩＤ３６６は、アナウンスメント情報を申し込んだ事業者を一意に特定する識別情報である。
【００５１】
図６は、検索サーバ４の記憶手段４５に格納される採用薬剤データベース４６の一例を示す図である。採用薬剤データベース４６は、医療機関端末６の電子カルテ画面１０において処方オーダーとして採用された薬剤に関する情報と、当該医療機関端末６が配置された医療機関の所在地域とを関連付けて構築されたデータベースである。図６の採用薬剤データベース４６には、日付４６１、病状４６２、採用薬剤４６３、用法用量４６４、地域４６５、不採用薬剤４６６などを含む。日付４６１、病状４６２、採用薬剤４６３、用法用量４６４は、医療機関５Ａ〜５Ｃにおいて、医師が患者に対して診断した結果であり、医療機関端末６Ａ〜６Ｃの電子カルテ画面に入力される情報である。採用薬剤に関する情報の全部又は一部を医療機関端末６Ａ〜６Ｃから直接取得してもよいし、医療機関端末６Ａ〜６Ｃから電子カルテサーバ２を介して取得してもよい。地域４６５は、採用薬剤に関する情報が入力された医療機関端末６が配置された医療機関の所在地域が格納される。薬剤を採用した医療機関の所在地域については、電子カルテサーバ２の医療機関情報テーブル２６から取得してもよいし、医療機関端末６Ａ〜６Ｃから採用薬剤に関する情報と併せて検索サーバ４に伝達してもよい。不採用薬剤４６６には、病状４６２に対応する複数の薬剤のうち、採用されなかった薬剤であり、採用薬剤と競合する薬剤（同じ病状に対して効果のある薬剤）の名称又はかかる薬剤の識別情報が格納される。病状薬剤情報テーブルは、医療機関においてカスタム可能であり、同じ病状であっても、対応する複数の薬剤が異なる場合があり、不採用薬剤を統計情報として格納することにより、このようなカスタマイズされた情報を取得することもできる。
【００５２】
さらに、採用薬剤データベース４６には、処方オーダー情報テーブル２８の患者ＩＤから、電子カルテ情報を参照して、患者の属性情報（性別、年齢（年代）、身長、体重、既往症）を格納してもよい。ただし、電子カルテ情報には、患者の氏名、住所、電話番号、メールアドレスなど個人情報も記憶されているところ、採用薬剤データベース４６は統計情報を得るためのものであり、個々の患者の個人情報は不要であることから、検索サーバ４は、採用薬剤が処方された患者の個人情報については取得しない又は取得しても採用薬剤データベースに登録しないことが好ましい。さらに、その患者に固有の情報として、検査結果、医療画像等についても、検索サーバ４は、取得しない又は取得しても採用薬剤データベースに登録しないことが好ましい。なお、地域別の統計情報が必要ではない場合は、採用薬剤４６３を地域と関連付けて登録しなくてもよく、採用薬剤データベース４６の地域４６５を削除してもよい。
【００５３】
統計情報として、採用薬剤データベース４６の採用薬剤４６３、用法用量４６４及び地域４６５から、地域ごとに薬剤が採用された実績（数量）を求めることができる。さらに、採用薬剤データベース４６の病状４６２、採用薬剤４６３、用法用量４６４及び地域４６５から、ある地域において、特定の病状に対して採用された薬剤の内訳（シェア）を得ることもできる。また、さらに不採用薬剤４６６も利用することにより、ある薬剤についての採用率（採用された回数／（採用された回数＋不採用の回数））、薬剤が対応付けられた病状の種類、回数などを得ることができる。また、日付４６１から、特定の期間における統計情報を得ることもできる。加えて、患者の属性情報を利用すれば、年代別、性別又は体格別の採用薬剤の傾向や、既往症との関係なども統計情報等して得ることができる。
【００５４】
以下、本発明の検索システム１が提供する各種処理について、図１乃至図６も参照しながら説明する。
【００５５】
[採用薬剤データベース登録処理]
図７は、処方オーダー登録から採用薬剤登録処理までの一例を示すフローチャートである。図８は、処方オーダー入力画面１１の一例を示す図である。
【００５６】
まず、処方オーダー登録処理では、電子カルテサーバ２の電子カルテ情報処理手段２２は、処方オーダー入力画面１１を医療機関端末６Ａ〜６Ｃに表示する（Ｓ５０１）。処方オーダー入力画面１１は、例えば、図８に示すように、患者の診断結果から該当する可能性のある複数の病状を表示し、医師により特定の病状を選択させる病状選択欄１１１と、選択された病状に対応する薬剤候補表示欄１１２と、アナウンスメント情報表示部１１３（アナウンスメント枠１４）、医師の最終的な処方オーダーを表示するための処方オーダー表示部１１４、入力した処方オーダーを登録するための登録ボタン１１５などから構成される。病状選択欄１１１には、電子カルテ情報に入力された症状、病名、検査結果等から病状を自動で表示されることが好ましいが、医師によって病状を入力できるように構成されてもよい。
【００５７】
病状選択欄１１１に表示された複数の病状（例えば「ＡＡＡ」「ＢＢＢ」「ＣＣＣ」）から医師が患者の病状（例えば「ＢＢＢ」）を選択すると、電子カルテ情報処理手段２２は、医師により選択された病状を取得し（Ｓ５０２）、図３に示す病状薬剤情報テーブル２７を参酌して、選択された病状「ＢＢＢ」に対応付けられた薬剤「アスベン」「ａａａ」「ｂｂｂ」「ｃｃｃ」「ｄｄｄ」「ｅｅｅ」…を取得し、薬剤候補表示欄１１２に選択可能に表示する（Ｓ５０３）。さらに、電子カルテ情報処理手段２２は、アナウンスメント枠管理サーバ３のアナウンスメント情報処理手段３２と協働して、図５に示すアナウンスメント情報テーブル３６を参照して、選択された病状「ＢＢＢ」に対応付けられたアナウンスメント情報（「アスベン」）をアナウンスメント情報表示部１１３（アナウンスメント枠１４）に表示する（Ｓ５０３）。
【００５８】
医師が処方薬として薬剤候補表示欄１１２から薬剤（例えば「アスベン」）を選択し、用法用量などを入力すると、電子カルテ情報処理手段２２は、医師により選択された薬剤を取得し（Ｓ５０４）、選択された薬剤を含む処方オーダー（病状、処方薬、用法用量の組合せ）を処方オーダー表示部１１４に表示し（Ｓ５０５）、所定のチェックを経て、登録ボタン１１５の操作を有効にする。なお、図７のフローチャートのＳ５０４においては、医師が用法用量などを入力したが、電子カルテ情報処理手段２２が、図示しない各薬剤の用量データベース等を参酌して、医師が選択した処方薬及び電子カルテに記憶された患者情報（年齢、体重等）に基づいて、一般的な用法用量などを自動で処方オーダー表示部１１４に表示するように構成してもよい。
【００５９】
医師が登録ボタン１１５を操作すると、電子カルテ情報処理手段２２は、処方オーダー情報（患者ＩＤ、日付、病状、処方薬、用法用量など）を取得し、かかる処方オーダー情報を図４に示す処方オーダー情報テーブル２８の所定の項目に登録する（Ｓ５０６）。さらに、電子カルテ情報処理手段２２は、電子カルテ情報、処方オーダー情報などから採用薬剤データベース４６に必要な採用薬剤に関する情報を抽出し、検索サーバ４に伝達する。ここで、電子カルテ情報処理手段２２は、少なくとも処方オーダー情報から処方薬及び用法用量を薬剤に関する情報の一部として抽出し、処方オーダー情報が入力された医療機関の地域を例えば図２に示す医療機関情報テーブル２６から特定し、薬剤に関する情報と共に検索サーバ４に伝達する。検索サーバ４の統計情報処理手段４２は、採用薬剤に関する情報及び入力された地域等を取得し（Ｓ５０７）、図６に示す採用薬剤データベース４６の所定の項目に登録する（Ｓ５０８）。
【００６０】
[統計情報検索処理]
図９は、統計情報検索処理の一例を示すフローチャートである。図１０は、統計情報検索画面１５の一例を示す図である。統計情報検索画面１５は、例えば、図１０に示すように、検索条件として、薬剤名入力欄１５１、地域選択欄１５２、病状入力欄１５３、期間入力欄１５４などを備え、さらに情報内容選択欄１５５及び検索ボタン１５６、検索結果表示欄１５７などから構成される。薬剤名入力欄１５１には、統計情報を取得したい薬剤名が入力可能であり、入力された薬剤名によって採用薬剤データベース４６の採用薬剤４６３、不採用薬剤４６６を検索でき、入力された薬剤に関する統計情報を取得できる。地域選択欄１５２には、八地方区分（北海道・東北・関東・中部・近畿・中国・四国・九州）の選択ボタンが設けられ、選択した地域によって採用薬剤データベース４６の地域４６５を検索でき、選択した地域の統計情報を取得できる。病状入力欄１５３には、統計情報を取得したい病状が入力可能であり、入力された病状によって採用薬剤データベース４６の病状４６２を検索でき、入力された病状についての統計情報を検索できる。期間入力欄１５４には、統計情報を取得したい期間が入力可能であり、入力された期間によって採用薬剤データベース４６の日付４６１を検索でき、入力された期間内の統計情報を検索できる。情報内容選択欄１５５には、取得したい統計情報の内容が選択可能に設けられており、選択された統計情報を取得できる。検索ボタン１５６は、検索条件等を入力後、検索ボタン１５６を操作することで入力した検索条件等を検索サーバ４に送信し、検索サーバ４において検索を開始する。検索結果表示欄１５７には、検索サーバ４において検索され、算出された統計情報が表示される。なお、薬剤名入力欄１５１及び病状入力欄１５３は、事業者が自由に入力可能であってもよいし、事業者が入力した単語から薬剤名候補や病状候補を選択可能に表示してもよいし、予め表示された薬剤名や病状から選択可能な構成としてもよい。
【００６１】
まず、統計情報検索処理では、検索サーバ４の統計情報処理手段４２は、統計情報検索画面１５を事業者端末７に表示する（Ｓ６０１）。事業者が統計情報検索画面１５に検索条件等を入力し、検索ボタン１５５を操作すると、統計情報処理手段４２は、検索条件等を取得し（Ｓ６０２）、図６に示す採用薬剤データベース４６を参酌して、検索条件に該当するデータを抽出する（Ｓ６０３）。そして、統計情報処理手段４２は、取得したデータを集計、編集、演算し、統計情報を算出し（Ｓ６０４）、事業者端末７の統計情報検索画面１５における検索結果表示欄１５７に表示する（Ｓ６０５）。
【００６２】
例えば、図１０に示すように、薬剤名「アスベン」、地域「東北」、期間「２０１５年１月１日〜２０１５年１２月３１日」の条件で「採用数量」を検索した場合、統計情報処理手段４２は、採用薬剤データベース４６において、採用薬剤４６３が「アスベン」であり、且つ、地域４６５が「東北」のデータが抽出され、さらに日付４６１が２０１５年１月１日から２０１５年１２月３１日の範囲内のデータのみが抽出される。そして、各データの用法用量４６４の数量を積算し、２０１５年１月１日から２０１５年１２月３１日までに東北で「アスベン」が採用された数量を統計情報として算出し、統計情報検索画面１５における検索結果表示欄１５７に表示する。
【００６３】
また、例えば、ある病状「ＢＢＢ」における「シェア」を検索した場合、統計情報処理手段４２は、採用薬剤データベース４６において、病状４６２が「ＢＢＢ」のデータが抽出され、各データの採用薬剤４６３を集計することにより、「ＢＢＢ」という病状に対して処方された薬剤の種類及び回数を得ることができ、そこから各薬剤のシェア（市場占有率）を統計情報として算出できる。または、病状４６２が「ＢＢＢ」のデータの採用薬剤４６３及び用法用量４６４を集計することにより、「ＢＢＢ」という病状に対して処方された薬剤の種類及び数量を得ることができ、そこから各薬剤のシェア（市場占有率）を統計情報として算出できる。
【００６４】
また、例えば、薬剤名「アスベン」における「採用率」を検索した場合、統計情報処理手段４２は、採用薬剤データベース４６において、採用薬剤４６３が「アスベン」であるデータの数（Ａ）と、不採用薬剤４６６に「アスベン」が格納されているデータの数（Ｂ）を集計することにより、「アスベン」が選択肢として薬剤候補とされた回数（Ａ＋Ｂ）を得ることができ、採用率（Ａ／（Ａ＋Ｂ））を統計情報として算出できる。
【００６５】
なお、上記統計情報検索処理は、検索条件、利用者、内容について特に制限していないが、検索条件、利用者、内容を制限することもできる。例えば、検索条件として、事業者が取り扱う薬剤に限定したり、利用者として、アナウンスメント情報を提供した事業者に限定したり、内容として競合薬剤については薬剤名を表示しないようにしたりしてもよい。以下、図１１を用いてアナウンスメント情報登録処理について説明し、その後、図１２を用いて、アナウンスメント情報を提供した事業者に対して、アナウンスメント情報の対象となる薬剤に制限した統計情報検索処理について説明する。
【００６６】
[アナウンスメント情報登録処理]
図１１は、アナウンスメント情報登録処理の一例を示すフローチャートである。まず、管理者は、薬剤のアナウンスメント情報を募集する案内を公開する（Ｓ７０１）。かかる案内は、例えば、書面を事業者に送付してもよいし、事業者が閲覧可能なウェブサイト上に公開してもよいし、アナウンスメント枠処理手段３２が、購入候補の事業者に対し薬剤のアナウンスメント情報を募集する案内を送信して公開してもよい。各事業者から、アナウンスメント枠の購入希望の申し込みを受理したら（Ｓ７０２）、所定の審査を経て薬剤のアナウンスメント枠を販売する購入者を決定し、アナウンスメント枠処理手段３２は、アナウンスメント枠管理サーバ３に接続するための認証情報を購入者である事業者の事業者端末７に送信する（Ｓ７０３）。さらに、アナウンスメント枠処理手段３２は、アナウンスメント情報テーブル３６に新規のアナウンスメントＩＤ３６１を登録し、その事業者ＩＤ３６６に購入者のＩＤを登録してもよい。
【００６７】
購入者が、認証情報に基づき、事業者端末７からアナウンスメント枠管理サーバ３に接続すると、アナウンスメント枠処理手段３２は、事業者端末７に適宜のアナウンスメント情報登録画面を表示する（Ｓ７０４）。購入者は、アナウンスメント情報登録画面を介してアナウンスメント枠に表示するアナウンスメント情報を入力することができる。さらに、購入者は、アナウンスメント情報登録画面を介して表示先条件の一部、表示期間などを登録できるようにしてもよい。アナウンスメント枠処理手段３２は、事業者によって入力された薬剤のアナウンスメント情報を取得すると（Ｓ７０５）、取得したアナウンスメント情報をアナウンスメント情報テーブル３６の所定の項目に登録する（Ｓ７０６）。
【００６８】
また、アナウンスメント情報登録画面において、購入費用の決済に必要な決済情報について入力させ、アナウンスメント枠処理手段３２は、入力された決済情報を会計サーバに送信してもよい。アナウンスメント枠の販売額は、表示期間などに基づいて、変更可能とすることができる。さらに、事業者は、アナウンスメント情報をアナウンスメント情報テーブル３６に登録した後、事業者端末７に表示される適宜のアナウンスメント情報確認画面を介して、アナウンスメント情報の登録状態を確認することもできる。アナウンスメント情報の登録後、アナウンスメント枠処理手段３２は、アナウンスメント情報が登録された旨を事業者に通知してもよい。
【００６９】
[検索条件等を制限した検索処理]
図１２は、アナウンスメント情報の薬剤に制限した検索処理の一例を示すフローチャートであり、アナウンスメント情報の提供者である事業者に対してのみ、アナウンスメント情報の対象となった薬剤に関する統計情報を提供するサービスである。
【００７０】
まず、統計情報検索処理では、検索サーバ４の統計情報処理手段４２は、認証情報（例えば事業者ＩＤ）を入力するためのログイン画面を事業者端末７に表示する（Ｓ８０１）。事業者が認証情報を入力すると、統計情報処理手段４２は、入力した認証情報を取得し（Ｓ８０２）、アナウンスメント枠管理サーバ３と協働して、アナウンスメント情報テーブル３６を参照し、取得した認証情報からログインした事業者がアナウンスメント情報を提供しているか否かを判断し（Ｓ８０３）、アナウンスメント情報を提供していなかった場合（Ｓ８０３のＮｏ）は、ログインエラー画面又は検索サービス対象外であることを事業者端末７に表示し、処理を終了する。
【００７１】
ログインした事業者がアナウンスメント情報を提供していた場合（Ｓ８０３のＹｅｓ）は、統計情報検索画面１５を表示する（Ｓ８０４）。ここで、統計情報検索画面１５の薬剤名入力欄１５１には、アナウンスメント情報テーブル３６の対応する薬剤３６２を予め入力してもよいし、そもそも薬剤名入力欄１５１を設けなくてもよい。事業者が統計情報検索画面１５に検索条件等を入力し、検索ボタン１５５を操作すると、統計情報処理手段４２は、検索条件等を取得し（Ｓ８０５）、図６に示す採用薬剤データベース４６を参酌して、検索条件に該当するデータを抽出する（Ｓ８０６）。そして、統計情報処理手段４２は、取得したデータを集計、編集、演算し、統計情報を算出し（Ｓ８０７）、事業者端末７の統計情報検索画面１５における検索結果表示欄１５７に表示する（Ｓ８０８）。なお、アナウンスメント情報の対象となった薬剤に限定しない場合は、統計情報検索画面１５の薬剤名入力欄１５１を検索条件として自由に入力可能な構成とすればよい。
【００７２】
また、事業者が検索しなくても、自動的に統計情報のレポートを提供するように構成してもよい。この場合、検索サーバ４の統計情報処理手段４２は、アナウンスメント枠管理サーバ３と協働して、アナウンスメント情報テーブル３６を参照し、アナウンスメント情報の対象となった薬剤３６２を採用薬剤データベース４６から検索し、薬剤３６２に関する統計情報を算出し、統計情報のレポートを作成する。統計情報のレポートの作成又は更新処理は、例えば、採用薬剤データベース４６の所定の項目に登録した際（図７のＳ５０８）に実行してもよいし、事業者がログインした際に当該事業者が提供したアナウンスメント情報に含まれる薬剤について実行してもよいし、定期的（例えば月末）に実行してもよい。作成された統計情報のレポートは、事業者の表示要求に応じて表示されるようにしてもよいし、事業者に対し検索サーバが送信してもよい。
【００７３】
［コメント・アンケート入力処理］
図１３は、コメント・アンケート入力処理の一例を示すフローチャートである。電子カルテ情報処理手段２２は、処方オーダー登録処理において、病状に対応する薬剤候補を薬剤候補表示欄１１２に選択可能に表示する際に（Ｓ９０１）、薬剤候補の中にアナウンスメント情報の薬剤３６２が含まれるか否かを判断し（Ｓ９０２）、アナウンスメント情報の薬剤３６２が含まれない場合（Ｓ９０２のＮｏ）は処理を終了する。アナウンスメント情報の薬剤３６２が薬剤候補の中に含まれる場合（Ｓ９０２のＹｅｓ）、電子カルテ情報処理手段２２は、当該医療機関端末（又は医療機関）をコメント・アンケート依頼対象として登録する（Ｓ９０３）。
【００７４】
その後、電子カルテ情報処理手段２２は、採用薬剤情報を取得すると（Ｓ９０４）、採用薬剤がアナウンスメント情報の薬剤３６２であるか否かを判断してもよい（Ｓ９０５）。アナウンスメント情報の薬剤３６２が採用された場合（Ｓ９０５のＹｅｓ）、コメント・アンケートに不採用の理由についての質問を加えてもよく（Ｓ９０６）、継続コメント・アンケート候補として当該医療機関端末（又は医療機関）を登録してもよい（Ｓ９０７）。採用薬剤がアナウンスメント情報の薬剤３６２ではなかった場合（Ｓ９０５のＮｏ）、コメント・アンケートに不採用の理由についての質問を加えてもよい（Ｓ９０８）。
【００７５】
そして、電子カルテ情報処理手段２２は、コメント・アンケート依頼対象として登録された医療機関端末に対し、コメント・アンケートの入力を依頼する（Ｓ９０９）。コメント・アンケートの入力依頼は、メールを送信してもよいし、コメント・アンケートの入力画面を医療機関端末に表示してもよいが、患者の診察が終了後、少なくとも電子カルテ情報が登録された後に依頼することが好ましい。また、コメント又はアンケートを入力する際に、入力者の個人情報の公開又は非公開を選択可能としてもよい。さらに、継続コメント・アンケート候補として登録された医療機関端末に対しては、薬剤の効果効能を確認するための追加コメント・アンケートの可否についても選択可能にしてもよい。
【００７６】
医療機関端末においてコメント・アンケートが入力されると、電子カルテ情報処理手段２２は、コメント・アンケート結果を取得し、その結果を検索サーバ４の記憶手段４５に登録する。また、コメント・アンケートにおいて選択された入力者の個人情報の公開又は非公開についても、コメント・アンケート結果に関連付けて登録し、公開を選択した入力者については、その個人情報もコメント・アンケート結果に関連付けて登録する。さらに、追加コメント・アンケートの可否について、可能と回答された場合、当該医療機関端末を継続コメント・アンケート候補から継続コメント・アンケート対象に変更し、所定の期間経過後に再び追加コメント・アンケートを依頼する。追加コメント・アンケートが拒否された場合は、当該医療機関端末を継続コメント・アンケート候補から外す。
【００７７】
登録されたコメント・アンケート結果は、アナウンスメント情報の薬剤に制限した検索処理における検索結果と併せて、又は統計情報のレポートと同様にアナウンスメント情報の提供者に提供される。
【符号の説明】
【００７８】
１  検索システム
２  電子カルテサーバ
３  アナウンスメント枠管理サーバ
４  検索サーバ
５  医療機関
６  医療機関端末
７  事業者端末
８  管理端末
９  ネットワーク
１０  電子カルテ画面
１１  処方オーダー入力画面
１４  アナウンスメント枠
１５  統計情報検索画面
２２  電子カルテ情報処理手段
２６  医療機関情報テーブル
２７  病状薬剤情報テーブル
２８  処方オーダー情報テーブル
３２  アナウンスメント情報処理手段
３６  アナウンスメント情報テーブル
４２  統計情報処理手段
４６  採用薬剤データベース
【図１】
2018081529.tif 000003
【図２】
2018081529.tif 000004
【図３】
2018081529.tif 000005
【図４】
2018081529.tif 000006
【図５】
2018081529.tif 000007
【図６】
2018081529.tif 000008
【図７】
2018081529.tif 000009
【図８】
2018081529.tif 000010
【図９】
2018081529.tif 000011
【図１０】
2018081529.tif 000012
【図１１】
2018081529.tif 000013
【図１２】
2018081529.tif 000014
【図１３】
2018081529.tif 000015